(57)【要約】本発明は、一般に、火器（例えば、ライフルまたは他の長銃）のための尾筒および銃身アセンブリ、ならびにこの尾筒および銃身を組立てて取り付け、そしてボルトと銃身との間のヘッドスペースを設定する方法に関する。本発明によれば、これらの火器は、製造時に容易に組立てられ、必要に応じて容易に取り外され、特別な道具または設備に対する必要性なしに、個々の射撃手のニーズを満たす。尾筒（１５）および銃身アセンブリ（１０）が提供される。その銃身（２０）は、その尾筒（１５）から容易に取り外される。さらに、このアセンブリ（１０）のヘッドスペースは、容易に調整される。これらの特徴は、ライフルの改善された製造可能性およびカスタマイズされた使用を提供する。
2007519887.tif 000002
【特許請求の範囲】
【請求項１】
銃身アセンブリにおいて使用するためのスプリット式尾筒であって、
アフト端部およびフォア端部を有する実質的に円筒状の本体であって、該本体は、該アフト端部から該フォア端部に延びる軸方向ボア、および該フォア端部から該本体のアフト端部に向かって延びるスロットを有する、本体；ならびに
該スロットと半径方向に整列されたクランピングねじ、
を備える、スプリット式尾筒。
【請求項２】
前記クランピングねじが、前記スロットと実質的に直交する方向で締付けるように配置されている、請求項１に記載の尾筒。
【請求項３】
前記尾筒のフォア端部に近接した銃身セットねじをさらに備え、該銃身セットねじが、該尾筒の軸方向ボアに実質的に直交する方向で締付けるように配置されている、請求項１に記載の尾筒。
【請求項４】
前記銃身セットねじが、円錐の先端を有する、請求項３に記載の尾筒。
【請求項５】
前記スロットが、約０．０２５〜約０．０６０インチの開口幅を有する、請求項１に記載の尾筒。
【請求項６】
前記スロットが、約０．５０〜約１．５インチの長さを有する、請求項１に記載の尾筒。
【請求項７】
前記スロットが、前記尾筒中に形成される弾倉チャンバに延び、それにより約２〜約４インチの全体のクランピング長さを形成する、請求項１に記載の尾筒。
【請求項８】
火器のための銃身取り付けシステムであって、
尾筒であって、フォア端部および該尾筒を貫く軸方向ボアを有する、尾筒；
銃身であって、該軸方向ボアに受容されるような寸法である嵌合部分を備える、銃身；ならびに
該尾筒のフォア端部に近接して配置される、クランピングねじ、
を備える、銃身取り付けシステム。
【請求項９】
前記尾筒が、前記クランピングねじと実質的に半径方向に整列されているスロットを備える、請求項８に記載の銃身取り付けシステム。
【請求項１０】
前記スロットが、前記フォア端部から前記アフトに向かって延びる、請求項９に記載の銃身取り付けシステム。
【請求項１１】
前記クランピングねじが、該クランピングねじが前記スロットに実質的に直交する方向で締付けるように配置される、請求項９に記載の銃身取り付けシステム。
【請求項１２】
火器であって、
尾筒であって、フォア端部、アフト端部、該尾筒を貫く軸方向ボア、および該フォア端部から該アフト端部に向かって延びるスロット；
溝を切った面を有する嵌合部分を備える銃身であって、該嵌合部分は、該軸方向ボア内にスライド可能に受容される、銃身；
固定手段であって、該尾筒のフォア端部に配置され、かつ該スロットと実質的に半径方向に整列される、固定手段、
を備え、ここで該固定手段が、該銃身が該尾筒内の所望の位置に固定されるのを許容し、所望のヘッドスペースが獲得される、火器。
【請求項１３】
前記固定手段が、前記軸方向ボアと実質的に直交する方向で締付けるクランピングねじを備える、請求項１２に記載の火器。
【請求項１４】
前記固定手段が、前記尾筒のフォア端部に近接して配置され、かつ前記スロットと実質的に直交して整列されるクランピングねじを備え、それにより、該銃身に対して締付けられる該クランピングねじが、該銃身の嵌合部分に対して該尾筒内にテーパーを形成する、請求項１２に記載の火器。
【請求項１５】
前記尾筒のアフト端部で、軸方向ボア中に受容される寸法であるボルトアセンブリをさらに備え、該ボルトアセンブリがボルト面を備え、ここで最小ヘッドスペースが、前記銃身の溝を切った面と該ボルト面との係合により規定される、請求項１２に記載の火器。
【請求項１６】
尾筒と銃身とを組立てる方法であって、
中を貫く軸方向ボアおよび開口幅を有するスロットを有する尾筒を提供する工程；
銃身の嵌合部分を該軸方向ボアの中に挿入する工程；ならびに
該スロットと実質的に半径方向に整列された固定手段を締付ける工程、
を包含し、ここで該固定手段を締付けることが、該スロットの開口幅を狭め、そして該尾筒を該銃身に向かってかつ該銃身に対して変形させる、方法。
【請求項１７】
前記銃身の嵌合部分が、所望のヘッドスペースを獲得するために必要とされる範囲まで、前記軸方向ボアの中に挿入される、請求項１６に記載の方法。
【発明の詳細な説明】
【技術分野】
【０００１】
（関連出願の相互参照）
本願は、米国仮特許出願番号第６０／５４０，３６０号（２００４年１月３０日出願）に対する優先権を主張する。この出願は、その全体が、本明細書中に参考として援用される。
【０００２】
（発明の分野）
本発明は、一般に、火器、特に銃身と尾筒とのアセンブリ、およびボルトと銃身の溝を切った（ｂｒｅａｃｈ）面とのヘッドスペースを設定し維持するための方法に関する。
【背景技術】
【０００３】
（背景情報）
火器の製造業者は、火器が製造される方法における改良を、絶えず求めている。具体的には、製造業者は、高められた製造可能性、質および生産の質を最適化するためのプロセス制御を求めている。同時に、最終使用者は、火器のパーツの修復および交換のカスタマイズ化および容易性を求めている。
【発明の開示】
【発明が解決しようとする課題】
【０００４】
従って、カスタマイズ化および修復を簡単にしつつ、製造可能性、およびプロセス制御を高める火器の設計に対する必要性が、存在する。
【課題を解決するための手段】
【０００５】
（発明の要旨）
本発明は、一般に、火器（例えば、ライフルまたは他の長身銃）のための尾筒および銃身アセンブリ、ならびにこの尾筒および銃身を組立てて取り付け、そしてボルトと銃身との間のヘッドスペースを設定する方法に関する。本発明によれば、これらの火器は、製造時に容易に組立てられ、必要に応じて容易に取り外され、特別な道具または設備に対する必要性なしに、個々の射撃手のニーズを満たす。
【０００６】
本発明の１つの局面によれば、本発明の銃身アセンブリにおいて使用するためのスプリット式尾筒は、アフト端部およびフォア端部を有する実質的に円筒状の本体を備える。この尾筒の本体は、このアフト端部からこのフォア端部に延びる軸方向ボア、およびこのフォア端部からこの本体のアフト端部に向かって延びるスロットを有する。
【０００７】
この尾筒はまた、上記スロットと半径方向に整列されたセットねじまたはクランピングねじを備える。このクランピングねじは、上記スロットと実質的に直交する方向で締付けるように配置され得る。この尾筒は、その尾筒のフォアに近接した銃身セットねじをさらに備え得る。この銃身セットねじは、この尾筒の軸方向ボアに実質的に直交する方向で締付けるように配置され得る。この銃身セットねじは、締付けの際に銃身に印をつける円錐の先端を有し得る。
【０００８】
上記軸方向ボアを受けるような寸法である嵌合部分を備える銃身は、尾筒の開口するフォア端部と係合する。この位置において、尾筒は、所望のヘッドスペースでクランピングねじを締付けることにより銃身と係合し、銃身の中に固定され得る。クランピングねじおよび銃身セットねじを締付ける際に、このフォア端部で尾筒中にテーパーが形成され、それにより銃身とその尾筒とを固定する。
【０００９】
本発明の別の局面によれば、尾筒と銃身とを組立てる方法が提供される。この方法は、中を貫く軸方向ボアおよび開口幅を有するスロットを有する尾筒を提供する工程、銃身の嵌合部分をこの軸方向ボアの中に挿入する工程、ならびにこのスロットと実質的に半径方向に整列された固定手段を締付ける工程、を包含する。この銃身の嵌合部分は、所望のヘッドスペースを獲得するために必要とされる範囲まで、前記軸方向ボアの中に挿入される。この固定手段を締付けることが、このスロットの開口幅を狭め、そしてこの尾筒を銃身に向かってかつ銃身に対して変形させる。
【００１０】
本発明の種々の特徴、目的、および利点は、以下に示される詳細な説明および添付の図面において考察されるか、またはそれらから明らかである。
【発明を実施するための最良の形態】
【００１１】
（発明の詳細な説明）
現在利用可能な銃身アセンブリとは対照的に、本発明は、火器の製造可能性およびカスタマイズ化を改善する特徴を備える。特に、これらの特徴は、製造を単純化し、特別な工具も設備も必要とはせず、迅速な銃身交換およびヘッドスペース調整を可能にする。本明細書中に記載される本発明は、代表的には、リムファイアーライフルの銃身取り付けシステムのために使用されるが、他の長身銃または他のタイプの火器とともに使用され得る。
【００１２】
図１〜３に示されるように、本発明の銃身アセンブリ１０は、一般に、図１に分解組立図で示される、尾筒１５および火器（例えば、ライフルＦ）に連結して使用される銃身２０を備える。尾筒１５は、実質的に円筒状の本体２２を有し、この本体２２は、第１のアフト端部２５、第２またはフォア端部３０、およびアフト端部２５からフォア端部３０にその尾筒を貫いて延びる軸方向ボア３５を有する。尾筒１５はまた、本体２２のフォア端部３０からアフト端部２５まで長さＬだけ延びる開口幅Ｗを有するスロット４０を備える。開口幅Ｗおよび長さＬは、所定の尾筒設計に対して変動する。１つの局面では、開口幅Ｗは、０．０２５インチ〜０．０６０インチであり、例えば、０．０４０インチである。別の局面では、スロット４０は、約０．５インチ〜１．５インチの長さ、例えば、１インチの長さを有する。
【００１３】
この尾筒はまた、銃身２０を尾筒１５内に取り外し可能に固定するための、尾筒１５のフォア端部３０に近接したクランピングねじ３８、セットねじ、ロッキングピンまたは他の固定手段を備える。クランピングねじ３８は、スロット４０と実質的に半径方向に整列され、軸方向ボア３５に実質的に直交する方向で締付ける。１つの局面では、クランピングねじ３８は、スロット４０と実質的に直交する関係で整列される。
【００１４】
上記尾筒は、さらに、銃身セットねじ４８（これは、代表的には、製造時に締付けられる）を備える。銃身セットねじ４８は、それが、半径方向に、軸方向ボア３５と実質的に直交する方向に締まるように配置される。１つの局面では、銃身セットねじ４８は、円錐先端ねじ（ｃｏｎｅ  ｐｏｉｎｔ  ｓｃｒｅｗ）であり、そのために銃身２０に対する締め付けの際に、銃身２０の嵌合部分５５が、長期的に印をつけられるか、傷をつけられる。次いで、マーキングが使用され、銃身２０が、組立て後に、勝手にいじくられたかどうかが判定され得る。本発明の１つの局面によれば、スロット４０は、弾倉チャンバ７０に延長され、それにより約２インチ〜約４インチ、例えば３インチの、全体のクランピング長さＬ’（図４）が提供される。そうすることにより、尾筒１５の本体２２は、組立ての間、より容易に変形し、それにより銃身セットねじ４８を締付けるのにより少ないトルクしか必要としない。
【００１５】
尾筒１５はまた、尾筒１５の外側から軸方向ボア３５の中に内側に延びるガイドピン４５（図４で最もよく理解される）を備え得る。ガイドピン４５は、尾筒１５の外側と同一平面に取り付けられ得、そして約０．０５インチ〜約０．１０インチだけボア３５の中に延び得るが、そのガイドピンのより多いかより少ない量の伸長が、必要とされるかまたは所望される場合に使用され得る。
【００１６】
さらに図１〜３を参照して、銃身２０は、嵌合部分５５のまわりに形成される嵌合ショルダー（ｍａｔｉｎｇ  ｓｈｏｕｌｄｅｒ）６０を有する嵌合部分５５を規定する第１の端部７５、および第２の遠位端８０を備える。嵌合部分５５は、尾筒１５の軸方向ボア３５の中にスライド可能に受容されるような寸法である。銃身２０はまた、ガイド溝（示さず）、または尾筒１５のガイドピン４５をスライド可能に受容するような寸法である類似の方向性の特徴を備え得る。異なる長さの嵌合部分を有する異なる銃身もまた、提供され得るかまたは使用され得ることが注目されるべきである。
【００１７】
尾筒１５および銃身２０を組立てるために、銃身２０の嵌合部分５５は、必要に応じて回転され、尾筒１５のガイド溝６５およびガイドピン４５が整列される。次いで、嵌合部分５５は、尾筒１５の軸方向ボア３５の中にスライド可能に挿入される。ボルトアセンブリ８５は、尾筒１５へ挿入され、閉じられる。ボルトアセンブリ８５は、ボルト面９０を備え、このボルト面９０はその中に端ぐり（示さず）を有する。
【００１８】
本発明によれば、銃身２０は、所望のヘッドスペースが達成されるまで、尾筒１５の軸方向ボア３５内で、その長さに沿ってスライド可能に調整される。銃身の溝を切った面１０５を尾筒１５内でボルト面９０の端ぐりと接触させることにより、最小の可能なヘッドスペース達成される。当業者に公知のハードゲージング（ｈａｒｄ  ｇａｕｇｉｎｇ）技術が、所望の場合、より大きいヘッドスペースを達成するために使用され得る。
【００１９】
このようにしてヘッドスペースを調整し得ることは、現在利用可能な尾筒および銃身アセンブリに対して顕著な利点を提供する。注目すべきことに、本発明の尾筒およびアセンブリは、銃身および尾筒における通常の許容範囲の変動に容易に適応し、それにより、製造プロセスを単純化する。さらに、尾筒と銃身との適切な係合を提供するために代表的には必要とされる二次機械加工は必要とはされない。
【００２０】
図４および５に目を向けて、銃身２０が尾筒１５に対して所望のヘッドスペースで配置される場合、クランピングねじ３８が締付けられる。締付け作用により、スロットの開口幅Ｗが狭められる。さらに、締付け作用により、尾筒１５のフォア端部３０が銃身２０の嵌合部分５５に向かってかつそれに対して変形され、それにより尾筒１５におけるテーパーが形成される。この尾筒のテーパーは、フォア端部３０において尾筒１５の直径を、元の半径に対して小さくする。特定の火器に依存して、必要とされるトルクが特定され得る。１つの局面では、クランピングねじ上で必要とされるトルクは、約１００ｉｎ−ｌｂｆ〜約１２５ｉｎ−ｌｂｆである。生じるテーパーは、尾筒１５を尾筒１５の中に据付けられた銃身２０に実質的に固定してクランプ止めするのを助ける。さらに、クランピングねじ３８の締付けは、所望のヘッドスペースの寸法を維持する。
【００２１】
火器Ｆの銃身２０および尾筒１５のアセンブリは、銃身セットねじ１１０を締付けることにより完了され、この銃身セットねじ１１０は、銃身２０を尾筒１５中に固定するのをさらに補助する。１つの局面では、銃身セットねじ１１０は、少なくとも約２５ｉｎ−ｌｂｆの最小トルク設定を必要とする。このようにして銃身セットねじ１１０を締付けることは、銃身２０を尾筒１５中に固定する際に、約５００ｌｂ〜約１０００ｌｂのさらなる力を提供する。
【００２２】
現在公知の、より複雑なアセンブリとは対照的に、尾筒を銃身に固定するために、ただ２つのねじまたは他の固定手段が必要とされる。従って、本発明の単純で簡単に使用できる設計により、上記アセンブリが、使用者の好みに従ってカスタマイズされることが可能になる。さらに、本発明は、損傷したかまたは磨耗した銃身および／または尾筒をほとんど労力もコストもかけずに、交換することを可能にする。
【００２３】
従って、上記の発明の詳細な説明を考慮して、本発明は、広範な利用性および適用が可能であることが当業者に容易に理解される。本明細書中に記載された適応例以外の本発明の多くの適応例、ならびに多くのバリエーション、改変および等価な配置は、本発明の実質または範囲から逸脱することなく、本発明および上記のその詳細な説明から明らかであるか、または本発明により合理的に示唆される。
【００２４】
本発明が、特定の局面に関連して本明細書中に詳細に記載されているが、この詳細な説明は、本発明の図示または例示に過ぎず、それらは単に本発明の十分かつ実施可能な開示を提供する目的のためになされていることが理解されるべきである。本明細書中に示される詳細な説明は、本発明を限定すること、またはそうでなければ本発明の任意のそのような他の実施形態、適応例、バリエーション、改変、および等価な配置を排除することを意図されておらず、しかもそのように解釈されるべきでもない。本発明は、本明細書に添付される特許請求の範囲およびその等価物によってのみ、限定される。
【図面の簡単な説明】
【００２５】
【図１】図１は、本発明に従う尾筒および銃身アセンブリを備え得る例示的な火器の部分的に分解された側面図である。
【図２】図２は、本発明に従う例示的な尾筒および銃身アセンブリの分解斜視図である。
【図３】図３は、本発明に従う例示的な尾筒および銃身アセンブリの別の分解斜視図である。
【図４】図４は、本発明に従う例示的に組立てられた尾筒および銃身アセンブリの底面図である。
【図５】図５は、本発明に従う例示的に組立てられた尾筒および銃身アセンブリの側面図である。
【図１】
2007519887.tif 000003
【図２】
2007519887.tif 000004
【図３】
2007519887.tif 000005
【図４】
2007519887.tif 000006
【図５】
2007519887.tif 000007
【国際調査報告】
2007519887.tif 000008
2007519887.tif 000009
2007519887.tif 000010